(57)【要約】【課題】屋内配線時の作業性に優れ、また、端末処理の際に光ファイバ心線が折れたりするおそれのない架空用の光ドロップケーブルを提供する。【解決手段】光ファイバ心線１７と抗張力体１８とを間隔をおいてほぼ並行に配置し、これらの外周に外被１９を一括被覆してなるケーブル部１２と、このケーブル部１２を支持する支持線部１１とを備え、ケーブル部１２の外被１９の光ファイバ心線１７と抗張力体１８の間には、ケーブル部１２を光ファイバ心線部１２Ｂと抗張力体部１２Ａに分離する分離用溝２０が設けられている光ドロップケーブル１０１である。【選択図】図１
2005077703.tif 000002
【特許請求の範囲】
【請求項１】
光ファイバ心線と抗張力体とを間隔をおいてほぼ並行に配置し、これらの外周に外被を一括被覆してなるケーブル部と、このケーブル部を支持する支持線部とを備えた光ドロップケーブルであって、
前記ケーブル部の前記光ファイバ心線と前記抗張力体の間の外被に、該ケーブル部を光ファイバ心線部と抗張力体部に分離する分離用溝が設けられていることを特徴とする光ドロップケーブル。
【請求項２】
前記光ファイバ心線は、その周囲に抗張力繊維が配置され、この抗張力繊維を介して前記外被が設けられていることを特徴とする請求項１記載の光ドロップケーブル。
【請求項３】
前記光ファイバ心線部の断面形状は、円形状であることを特徴とする請求項１または２記載の光ドロップケーブル。
【請求項４】
前記光ファイバ心線部の外被に引き裂き用ノッチが設けられていることを特徴とする請求項１乃至３のいずれか1項記載の光ドロップケーブル。
【発明の詳細な説明】
【技術分野】
【０００１】
本発明は、架空に布設されている配線系ケーブルから一般加入者宅内へ引き込み配線するために使用される光ドロップケーブルに関する。
【背景技術】
【０００２】
光ファイバ通信網を一般住宅やビルなどの加入者宅にまで普及する構想が具体的に進んでおり、それに伴いかかる通信網の構築に必要な各種光ファイバケーブルの開発が続けられている。
【０００３】
このうち、架空に布設される配線系ケーブルから一般加入者宅内へ引き込み配線するための、いわゆる架空光ドロップケーブルとして、図１２に示すような構造のものが提案されている（例えば、特許文献１参照。）。
【０００４】
すなわち、この架空光ドロップケーブルは、同図に示すように、単心光ファイバ心線１を挟んでその上下にＦＲＰ（ガラス繊維強化プラスチック）や鋼線などからなる抗張力体２、２を配置し、さらにその上に鋼線からなる支持線３を配置し、これらの外周にポリエチレンなどの樹脂を一括押出被覆して外被４を設けた構造を有する。このケーブルの支持線３と抗張力体２の間には、ケーブルを支持線部５とケーブル部６に分割する首部（連結部）７が設けられており、また、ケーブル部６の外被４の両側部、単心光ファイバ心線１が位置する部分には、引き裂き用のノッチ８、８が設けられている。
【０００５】
このような光ドロップケーブルにおいては、支持線３が設けられているため、架空布設が可能である。そして、首部７が設けられているため、ケーブルを加入者宅まで引き落とした後、ケーブル部８を支持線部５から分離して、ケーブル部８のみを屋内配線に用いることができる。また、光ファイバ心線１を挟んで抗張力体２が配置されているため、温度変化による光ファイバの伝送損失の増加を防ぐことができるとともに、ケーブル部８を屋内配線する際の引張り応力による光ファイバの断線も防止することができる。さらに、引き裂き用のノッチ８が設けられているため、ケーブル端末処理などの際に外被４をケーブルの幅方向に引き裂いて内部の光ファイバ心線１を容易に取り出すことができる。
【０００６】
しかしながら、このような従来の光ドロップケーブルにおいては、ケーブル部８の断面形状が矩形乃至楕円状であるため、その曲がり方向に方向性が生じ（通常、図１２中矢印で示す方向、すなわちケーブルの幅方向に曲がる。）、そのうえ、ＦＲＰからなる抗張力体２の場合、許容曲げ径があまり大きくなく、一方、抗張力体２が鋼線からなる場合も、その剛性のために、曲げた際の反発力が大きいことから、屋内配線作業、特に狭い場所や曲がりくねった場所での配線作業が容易ではないという問題があった。
【０００７】
また、単心光ファイバ心線１の外径が非常に細い（通常、250μm）ため、光ファイバ心線１を取り出して配線する際に不用意に曲げなどを加えると簡単に折れてしまうという問題があった。このため、作業者は細心の注意を払って心線を取り扱う必要があり、大きな負担となっていた。
【特許文献１】特開２００１−３３７２５５号公報
【発明の開示】
【発明が解決しようとする課題】
【０００８】
本発明は上記従来技術の課題を解決するためになされたもので、屋内配線時の作業性に優れ、また、配線の際に光ファイバ心線が折れたりするおそれのない光ドロップケーブルを提供することを目的とする。
【課題を解決するための手段】
【０００９】
上記目的を達成するため、本願の請求項１に記載の発明の光ドロップケーブルは、光ファイバ心線と抗張力体とを間隔をおいてほぼ並行に配置し、これらの外周に外被を一括被覆してなるケーブル部と、このケーブル部を支持する支持線部とを備えた光ドロップケーブルであって、前記ケーブル部の前記光ファイバ心線と前記抗張力体の間の外被に、該ケーブル部を光ファイバ心線部と抗張力体部に分離する分離用溝が設けられていることを特徴とするものである。
【００１０】
請求項２に記載の発明は、請求項１記載の光ドロップケーブルにおいて、前記光ファイバ心線は、その周囲に抗張力繊維が配置され、この抗張力繊維を介して前記外被が設けられていることを特徴とするものである。
【００１１】
請求項３に記載の発明は、請求項１または２記載の光ドロップケーブルにおいて、前記光ファイバ心線部の断面形状は、円形状であることを特徴とするものである。
【００１２】
請求項４に記載の発明は、請求項１乃至３のいずれか1項記載の光ドロップケーブルにおいて、前記光ファイバ心線部の外被に引き裂き用ノッチが設けられていることを特徴とするものである。
【発明の効果】
【００１３】
本発明の光ドロップケーブルによれば、ケーブル部をさらに光ファイバ心線部と抗張力体部に分離することができるので、屋内配線の作業性を向上させることができる。また、端末処理に際して光ファイバ心線を接続機器の直前まで取り出す必要がないため、光ファイバ心線が折れるおそれがなくなり、作業者の負担を軽減することができる。
【発明を実施するための最良の形態】
【００１４】
以下、本発明の実施の形態を図面を用いて説明する。
【００１５】
図１は本発明の光ドロップケーブルの一実施形態を示す断面図である。
図１に示すように、本実施形態の光ドロップケーブル１０１は、支持線部１１とケーブル部１２とこれらを連結する連結部１３を有する。支持線部１１は、鋼線などからなる支持線１４と、その外周に設けられた外被１５とから構成されている。ケーブル部１２は、周囲に抗張力繊維からなる層１６が設けられた2本の単心光ファイバ心線１７と、その上下両側に間隔をおいて並行に配置された鋼線あるいはＦＲＰなどからなる抗張力体１８と、これらを一括被覆する外被１９とから構成されている。支持線部１１の外被１５と、ケーブル部１２の外被１９と、連結部１３とは、熱可塑性樹脂の一括押出により形成されている。
【００１６】
そして、本実施形態においては、ケーブル部１２の外被１９の単心光ファイバ心線１７と抗張力体１８との間の左右両側に計４個の分離用溝２０が設けられ、これらの分離用溝２０の位置でケーブル部１２を幅方向に容易に切断できるようになっている。すなわち、分離用溝２０の位置で切断することにより、ケーブル部１２は、抗張力体１８を含む抗張力体部１２Ａと、単心光ファイバ心線１７を含む光ファイバ心線部１２Ｂに3分割されるようになっている。さらに、この実施形態では、分離用溝２０は、分離後の光ファイバ心線部１２Ｂの断面形状が円形状になるように設けられている。
【００１７】
また、光ファイバ心線部１２Ｂの外被１９の両側部には、引き裂き用ノッチ１９aが設けられており、これらの引き裂き用ノッチ１９aの位置で光ファイバ心線部１２Ｂの外被１９を容易に引き裂くことができるようになっている。このように引き裂き用ノッチ１９aの位置で光ファイバ心線部１２Ｂの外被１９を引き裂くことにより内部の2本の単心光ファイバ心線１７を容易に取り出すことができる。
【００１８】
上記単心光ファイバ心線１７は、特に限定されるものではなく、光ファイバの外周にシリコーン樹脂や紫外線硬化型樹脂などを被覆したもの、その外周にさらにナイロン樹脂を被覆したもの（通常、ナイロン心線と称する）などが挙げられる。
【００１９】
また、このような単心光ファイバ心線１７に周囲に設けられる抗張力繊維層１６を構成する抗張力繊維としては、ポリ-p-フェニレンテレフタルアミド繊維などのアラミド繊維、ポリアリレート繊維、ポリパラフェニレンベンズビスオキサゾール繊維、ポリエチレンテレフタレート繊維などのポリエステル系繊維、ナイロン繊維などが使用される。抗張力繊維層１６はこのような抗張力繊維を各単心光ファイバ心線１７の周囲に縦添えすることにより形成される。
【００２０】
さらに、外被１５、１９および連結部１３を構成する熱可塑性樹脂としては、ポリエチレンやポリ塩化ビニルなどの熱可塑性樹脂が使用される。これらの樹脂には、難燃剤や着色剤が配合されていてもよい。
【００２１】
本発明において、分離用溝２０の深さは、あまり深いと、ケーブルのドラム巻き取り時および布設時に外被１９の裂けや支持線部１１とケーブル部１２との分離が発生するおそれがあり、逆に、あまり浅いと、分離作業性が低下するうえ、光ファイバ心線部１２Ｂ表面に抗張力体部１２Ａの一部が残り、その後の光ファイバ心線部１２Ｂの端末処理の際に不都合が生じるおそれがある。このような観点から、本実施形態では、対向する分離用溝２０間の幅が0.3mm〜0.7mm程度になる範囲が好ましい。
【００２２】
本実施形態の光ドロップケーブル１０１は、例えば図２に示すように、クロージャ内で配線系ケーブルに（以上、図示なし）接続され、加入者宅３０の軒先まで屋外配線される。そこで支持線部１１が分離されて、ケーブル部１２のみが加入者宅３０内に引き込まれ屋内配線される。支持線部１１は、加入者宅３０の住宅の壁面に固定される。屋内配線されたケーブル部１２は、さらに抗張力体部１２Ａが分離され、光ファイバ心線部１２Ｂのみが光接続機器３１に接続される。光ファイバ心線部１２Ｂには抗張力体が埋設されておらず、かつ、断面形状が円形状で任意の方向に自在に曲げることができるため、接続は、従来のように光ファイバ心線１７を外被１９から取り出すことなく行うことができる。なお、図２中、３２および３３はそれぞれ分離した支持線部１１および抗張力体部１２Ａの固定部を示している。
【００２３】
このように、本実施形態の光ファイバケーブル１０１においては、ケーブル部１２から抗張力体１８が埋設されている部分、すなわち抗張力体部１２Ａを分離して、光ファイバ心線部１２Ｂのみを配線、接続に用いることができるため、従来に比べ配線作業性が向上するとともに、光ファイバ心線１７を外被１９から取り出すことなく光接続機器の直前まで配線することが可能となる。また、この結果、配線作業時に光ファイバ心線１６が折れるようなことがなくなり、作業者の負担も軽減される。
【００２４】
なお、本発明においては、例えば図３および図４に示すように、単心光ファイバ心線１７の数が1本であってもよく、あるいは3本またはそれ以上であってもよい。図３に示す光ドロップケーブル１０２は、上記実施形態において、単心光ファイバ心線１７を1本配置したものであり、また、図４に示す光ドロップケーブル１０３は、上記実施形態において、単心光ファイバ心線１７を3本配置したものである。
【００２５】
また、例えば図５、図６に示すように、単心光ファイバ心線１７に代えて、1枚乃至複数枚の光ファイバテープ心線１７１、１７２を使用してもよい。図５に示す光ドロップケーブル１０４は、上記実施形態において、2本の単心光ファイバ心線１７に代えて、2本の光ファイバ素線を並列させ、その外周に一括被覆を施した2心光ファイバテープ心線１７１を1枚配置したものであり、また、図６に示す光ドロップケーブル１０５は、上記実施形態において、2本の単心光ファイバ心線１７に代えて、4本の光ファイバ素線を並列させ、その外周に一括被覆を施した4心光ファイバテープ心線１７２を1枚配置したものである。なお、図６に示す光ドロップケーブル１０５は、光ファイバ心線部１２Bの断面が矩形状に形成されており、かかる形状も本発明に包含されるものであるが、光ファイバ心線部１２Bの取り扱い性、配線作業性の観点からは、曲がりの方向性が生じない断面円形状に形成することが望ましい。
【００２６】
さらに、上記実施形態において、抗張力繊維層１６は必ずしも必須のものではなく、光ファイバ心線１７外周に外被１９のみが施されていてもよい。この場合、光ファイバ心線１７と外被１９は、図７に示す光ドロップケーブル１０６のように、密着していてもよく、図８に示す光ドロップケーブル１０７のように、外被１９内に光ファイバ心線１７がルーズに収容されるようにしてもよい。また、図９に示す光ドロップケーブル１０８のように、抗張力繊維層１６と外被１９の間に他の被覆層２１が介挿されていてもよい。
【００２７】
また、以上説明した例では、いずれも抗張力体１８を2本、単心光ファイバ心線１７または光ファイバテープ心線１７１、１７２を挟んでその上下に間隔をおいて並行に配置しているが、単心光ファイバ心線１７または光ファイバテープ心線１７１、１７２の上下のいずれか一方にのみ配置するようにしてもよい。図１０に示す光ファイバケーブル１０９は、その一例であり、上記実施形態において、抗張力体１７を1本、支持線１４の反対側にのみ配置したものである。
【００２８】
本発明においては、さらに、例えば図１１に示すように、光ファイバ心線部１２Ｂが複数（図面の例では、2本）形成されるようにしてもよい。
【００２９】
すなわち、図１１に示す光ドロップケーブル１１０においては、ケーブル部１２が、それぞれに抗張力繊維からなる層１６が設けられた2本の単心光ファイバ心線１７a、１７ｂを上下に間隔をおいて並行に配置し、さらに、これらの上下両側に間隔をおいて抗張力体１８を並行に配置し、これらを外被１９で一括被覆した構造となっている。そして、一方の単心光ファイバ心線１７ａとこれに隣接する抗張力体１８との間、他方の単心光ファイバ心線１７ｂとこれに隣接する抗張力体１８との間、単心光ファイバ心線１７ａと単心光ファイバ心線１７ｂの間の外被１９のそれぞれの左右両側に計6個の分離用溝２０が設けられ、これらの分離用溝２０の位置で切断することにより、ケーブル部１２は、抗張力体１８を含む2本の抗張力体部１２Ａと、単心光ファイバ心線１７ａおよび単心光ファイバ心線１７ｂをそれぞれ含む2本の光ファイバ心線部１２Ｂの4つの部分に切り離されるようになっている。2本の光ファイバ心線部１２は、必要に応じて分離され、配線接続される。
【実施例】
【００３０】
次に、本発明を実施例に記載するが、本発明は以下の実施例に何ら限定されるものではない。
【００３１】
実施例
図１に示す構造の光ドロップケーブル１０１を製造した。単心光ファイバ心線１７には、外径250μｍの単心紫外線硬化型樹脂被覆光ファイバ心線を用い、ケーブル本体１２の抗張力体１８には、外径0.4mmのＦＲＰロッドを用い、支持線１４には、外径1.2mmの単鋼線を用いた。
【００３２】
まず、2本の単心光ファイバ心線１７の外周にポリ-p-フェニレンテレフタルアミド繊維（ケブラー４９：商標）を縦添えしつつ、2本の抗張力体１８と支持線１４とを、図１に示すように平行に並べた状態で押出し機に導入し、その外周にノンハロゲン難燃ポリエチレン（日本ユニカー社製  商品名 ＮＵＣ９７３９）を押出被覆して、支持線部１１の断面形状が外径約2mmの円形状で、ケーブル部１２の外被１９に設けられた分離用溝２０の深さが約0.75mm（対向する分離用溝２０間の幅が約0.5ｍｍ）、光ファイバ心線部１２Ｂの外被１９に設けられた引き裂き用ノッチ１９ａの最深部における外被１９厚さが約0.3mmであり、かつ、ケーブル高さが約7mmの光ドロップケーブルを製造した。
【００３３】
得られた光ファイバケーブルについて、ヒートサイクル試験（−30℃〜＋60℃、10サイクル）を行い、最大伝送損失増加量を調べたところ0.05dB/km未満であり、良好な温度特性を有していた。また、実際に、支持線部１１を分離し、さらに、抗張力体部１２Ａを分離して、光ファイバ心線部１２Ｂの配線接続を試みたところ、光ファイバ心線部１２Ｂを任意の方向に自在に曲げることができ、円滑に配線接続することができた。
【図面の簡単な説明】
【００３４】
【図１】本発明の光ドロップケーブルの一実施形態を示す断面図。
【図２】図１に示す光ドロップケーブルの配線例を模式的に示す図。
【図３】本発明の光ドロップケーブルの変形例を示す断面図。
【図４】本発明の光ドロップケーブルの変形例を示す断面図。
【図５】本発明の光ドロップケーブルの変形例を示す断面図。
【図６】本発明の光ドロップケーブルの変形例を示す断面図。
【図７】本発明の光ドロップケーブルの変形例を示す断面図。
【図８】本発明の光ドロップケーブルの変形例を示す断面図。
【図９】本発明の光ドロップケーブルの変形例を示す断面図。
【図１０】本発明の光ドロップケーブルの変形例を示す断面図。
【図１１】本発明の光ドロップケーブルの変形例を示す断面図。
【図１２】従来の光ドロップケーブルの一例を示す断面図。
【符号の説明】
【００３５】
１１…支持線部、１２…ケーブル部、１２Ａ…光ファイバ心線部、１２Ｂ…抗張力体部、１３…連結部、１４…支持線、１５，１９…外被、１６…抗張力繊維層、１７，１７ａ，１７ｂ…単心光ファイバ心線、１８…抗張力体、１９ａ…引き裂き用ノッチ、２０…分離用溝、１０１〜１１０…光ファイバケーブル、１７１，１７２…光ファイバテープ心線
【図１】
2005077703.tif 000003
【図２】
2005077703.tif 000004
【図３】
2005077703.tif 000005
【図４】
2005077703.tif 000006
【図５】
2005077703.tif 000007
【図６】
2005077703.tif 000008
【図７】
2005077703.tif 000009
【図８】
2005077703.tif 000010
【図９】
2005077703.tif 000011
【図１０】
2005077703.tif 000012
【図１１】
2005077703.tif 000013
【図１２】
2005077703.tif 000014